(57)【要約】【課題】鼻腔に挿入し易くし、鼻腔に挿入した際には鼻腔を介して十分な量の空気を気道に送り込むと共に、鼻腔から脱落することを極力防ぐこと。【解決手段】鼻腔を介して呼吸する際に使用される鼻腔挿入具１は、筒状であり、一端側２ａの端部２ａａから他端側２ｂの端部２ｂｂまで延設される中空部１０を内部に有すると共に鼻腔に挿入される右側本体部２Ｒ及び左側本体部２Ｌと、右側本体部２Ｒ及び左側本体部２Ｌの一端側２ａの端部２ａａにおいて中空部１０を外部に開放する開口部１１と、右側本体部２Ｒ及び左側本体部２Ｌの他端側２ｂの端部２ｂｂにおいて中空部１０を外部に開放する開口部１２と、右側本体部２Ｒ及び左側本体部２Ｌの他端側２ｂに設けられ、他端側２ｂから見て右側本体部２Ｒ又は左側本体部２Ｌよりも側方に突出する突出位置と中空部１０と重なる重なり位置との間で移動可能な押圧部１３と、を有する。【選択図】図１
2020081612.tif 000002
【特許請求の範囲】
【請求項１】
鼻腔を介して呼吸する際に使用される鼻腔挿入具であって、
筒状であり、一端側の端部から他端側の端部まで延設される中空部を内部に有すると共に鼻腔に挿入される本体部と、
前記本体部の前記一端側の端部において前記中空部を外部に開放する第１の開口部と、
前記本体部の前記他端側の端部において前記中空部を外部に開放する第２の開口部と、
前記本体部の他端側に設けられ、前記他端側から見て前記本体部よりも側方に突出する突出位置と前記中空部と重なる重なり位置との間で移動可能な押圧部と、
を有することを特徴とする鼻腔挿入具。
【請求項２】
前記本体部は、
第１の壁部と第２の壁部と第３の壁部とによって囲まれる前記中空部を有し、
前記第１の壁部と前記第２の壁部とは、
互いに接続すると共に直交する方向に延設され、
前記第３の壁部は、
前記第１の壁部と前記第２の壁部とを接続すると共に側方に凸となる湾曲形状を有し、
前記押圧部は、
前記他端側から見て前記突出位置において前記第１の壁部及び前記第２の壁部よりも側方に突出する、
ことを特徴とする請求項１記載の鼻腔挿入具。
【請求項３】
前記押圧部は、
前記本体部が鼻腔に挿入された際に前記突出位置において鼻中隔下制筋を押圧する、
ことを特徴とする請求項１又は請求項２記載の鼻腔挿入具。
【請求項４】
一対の前記本体部の各々に設けられた前記押圧部を互いに接続すると共に、前記押圧部を前記突出位置と前記重なり位置との間で移動可能にする連結部を有する、
ことを特徴とする請求項１から請求項３のいずれかに記載の鼻腔挿入具。
【請求項５】
前記押圧部は、
前記突出位置から前記重なり位置に移動する際に屈曲し、前記重なり位置から前記突出位置に移動する際に伸張するヒンジ部を備える、
ことを特徴とする請求項１から請求項４のいずれかに記載の鼻腔挿入具。
【請求項６】
前記中空部は、
前記他端側の端部から前記一端側の端部に向けて窄まった形状を有する、
ことを特徴とする請求項１から請求項５のいずれかに記載の鼻腔挿入具。
【請求項７】
前記本体部は、
前記中空部の周囲の内壁を窪ませて形成した複数の内部凹部を備える、
ことを特徴とする請求項１から請求項６のいずれかに記載の鼻腔挿入具。
【請求項８】
前記本体部は、
外壁を窪ませて形成した複数の外部凹部と、一端が前記内部凹部に開口されると共に他端が前記外部凹部に開口されて前記中空部を外部に連通する連通孔と、を備える、
ことを特徴とする請求項７記載の鼻腔挿入具。
【請求項９】
前記本体部は、
前記一端側に設けられると共に前記第１の開口部から外部に突出して互いに離れる方向に延設される複数の板状のガイド片を備える、
ことを特徴とする請求項１から請求項８のいずれかに記載の鼻腔挿入具。
【発明の詳細な説明】
【技術分野】
【０００１】
本発明は、鼻腔を介して呼吸する際に使用される鼻腔挿入具に関する。
【背景技術】
【０００２】
睡眠時に一時的に呼吸が停止する睡眠時無呼吸症候群（ＳＡＳ）の症状に悩まされている老若男女が多数存在している。睡眠時無呼吸症候群の症状を生じた際においては、血液中の酸化還元反応が不十分となり、脳に送られる血液が酸欠状態となる。これにより、脳神経組織のみならずホルモン代謝にも悪影響を及ぼし、心疾患、糖尿病又は脳血管疾患と言われる生活習慣病を引き起こす恐れもある。
【０００３】
従来、睡眠時において鼻腔に挿入されて鼻腔を拡張することにより、睡眠時無呼吸症候群の症状を緩和する鼻腔拡張器が知られている（例えば、特許文献１）。このような鼻腔拡張器は、鼻腔に挿入された際に鼻腔を拡張した状態で鼻腔の内部に留まって、鼻腔を介して気道に空気を送り込むことを可能にする。
【先行技術文献】
【特許文献】
【０００４】
【特許文献１】特表２００６−５０１８８９号公報
【発明の概要】
【発明が解決しようとする課題】
【０００５】
しかしながら、従来の鼻腔挿入具においては、鼻腔を介して気道により多くの空気を送り込むためには、鼻腔をより拡張させる必要があるが、鼻腔を拡張させるために鼻腔挿入具の全体を大きくした場合には鼻腔挿入具の鼻腔への挿入が困難になる。一方、鼻腔挿入具の全体を小さくした場合には、鼻腔挿入具を鼻腔に挿入し易いが、鼻腔を十分に拡張させることができないために鼻腔を介して気道により多くの空気を送り込むことができず、また鼻腔挿入具が鼻腔から脱落し易い。従って、従来の鼻腔挿入具は、鼻腔へ挿入し易くすることと、鼻腔により多くの空気を送り込むこと及び鼻腔からの脱落を防止することと、の両立を図ることができないという課題を有する。
【０００６】
本発明の目的は、鼻腔に挿入し易くすることができ、鼻腔に挿入した際には鼻腔を介して十分な量の空気を気道に送り込むことができると共に、鼻腔から脱落することを極力防ぐことができる鼻腔挿入具を提供することである。
【課題を解決するための手段】
【０００７】
本発明に係る鼻腔挿入具は、鼻腔を介して呼吸する際に使用される鼻腔挿入具であって、筒状であり、一端側の端部から他端側の端部まで延設される中空部を内部に有すると共に鼻腔に挿入される本体部と、前記本体部の前記一端側の端部において前記中空部を外部に開放する第１の開口部と、前記本体部の前記他端側の端部において前記中空部を外部に開放する第２の開口部と、前記本体部の他端側に設けられ、前記他端側から見て前記本体部よりも側方に突出する突出位置と前記中空部と重なる重なり位置との間で移動可能な押圧部と、を有する。
【０００８】
押圧部が重なり位置にある状態で本体部を鼻腔に挿入し、鼻腔に挿入後に押圧部を重なり位置から突出位置に移動させることにより、押圧部によって鼻腔の内壁を押圧すると共に、押圧部による鼻腔の内壁を押圧する反動で、押圧部によって押圧する鼻腔の内壁の反対側の内壁を本体部によって押圧して鼻腔全体を拡張させた状態で、第２の開口部から中空部に取り込んだ空気を第１の開口部から排出して気道に送り込む。
【発明の効果】
【０００９】
本発明によれば、鼻腔に挿入し易くすることができ、鼻腔に挿入した際には鼻腔を介して十分な量の空気を気道に送り込むことができると共に、鼻腔から脱落することを極力防ぐことができる。
【図面の簡単な説明】
【００１０】
【図１】本発明の実施形態に係る鼻腔挿入具の上方の斜め前方から見た斜視図である。
【図２】本発明の実施形態に係る鼻腔挿入具の押圧部が突出位置に移動した状態の正面図である。
【図３】本発明の実施形態に係る鼻腔挿入具の平面図である。
【図４】本発明の実施形態に係る鼻腔挿入具の下方の斜め後方から見た斜視図である。
【図５】本発明の実施形態に係る鼻腔挿入具の本体部の拡大断面図である。
【図６】本発明の実施形態に係る鼻腔挿入具の本体部の一端側の拡大断面図である。
【図７】本発明の実施形態に係る鼻腔挿入具の押圧部が重なり位置に移動した状態の正面図である。
【発明を実施するための形態】
【００１１】
以下、図面を適宜参照して、本発明の実施形態に係る鼻腔挿入具につき、詳細に説明する。図中、ｘ軸、ｙ軸及びｚ軸は、３軸直交座標系を成し、ｙ軸の正方向を前方向、ｙ軸の負方向を後ろ方向、ｘ軸の正方向を右方向、ｘ軸の負方向を左方向、ｚ軸の正方向を上方向、及びｚ軸の負方向を下方向として説明する。
【００１２】
＜鼻腔挿入具の構成＞
本発明の実施形態に係る鼻腔挿入具１につき、図１から図７を参照しながら、以下に詳細に説明する。
【００１３】
鼻腔挿入具１は、弾力性のある合成樹脂により一体に形成されており、全体が弾性変形可能になっている。ここで、鼻腔挿入具１を形成する合成樹脂は、例えばスチレン系・エラストマー、ポリエステル・エラストマー、シリコンゴム、ポリエチレン又は塩化ビニルである。
【００１４】
鼻腔挿入具１は、左側の鼻腔に挿入される左側本体部２Ｌと、右側の鼻腔に挿入される右側本体部２Ｒと、左側本体部２Ｌと右側本体部２Ｒとを連結する連結部４と、を有している。左側本体部２Ｌと右側本体部２Ｒとは、ｙ軸に対して対称形状になっている。
【００１５】
左側本体部２Ｌ及び右側本体部２Ｒの各々は、筒状であると共に、他端側２ｂの端部２ｂｂから一端側２ａの端部２ａａに向けて窄まった形状を有しており、一端側２ａから鼻腔に挿入される。具体的には、左側本体部２Ｌ及び右側本体部２Ｒの各々は、中空部１０と、開口部１１と、開口部１２と、押圧部１３と、ガイド片１４と、内部凹部１５と、外部凹部１６と、連通孔１７と、を有している。
【００１６】
中空部１０は、左側本体部２Ｌ及び右側本体部２Ｒの内部に設けられ、一端側２ａの端部２ａａから他端側２ｂの端部２ｂｂまで延設されていると共に、端部２ｂｂから端部２ａａに向けて窄まった形状を有している。中空部１０は、左右方向に延設されている壁部２１と、上下方向に延設されている壁部２２と、壁部２３と、によって囲まれている。壁部２１と壁部２２とは、互いの延設方向の端部が接続されていると共に、互いに直交する方向に延設されている。壁部２３は、壁部２１と壁部２２とを接続している。左側本体部２Ｌの壁部２３は、右側方に凸となる湾曲形状を有している。右側本体部２Ｒの壁部２３は、左側方に凸となる湾曲形状を有している。壁部２１と壁部２２との接続部、壁部２１と壁部２３との接続部、及び壁部２２と壁部２３との接続部は、各々湾曲している。
【００１７】
開口部１１は、一端側２ａの端部２ａａにおいて、中空部１０を外部に開放している。
【００１８】
開口部１２は、他端側２ｂの端部２ｂｂにおいて、中空部１０を外部に開放している。開口部１２の内径は、開口部１１の内径よりも大きい。
【００１９】
押圧部１３は、左側本体部２Ｌの他端側２ｂ及び右側本体部２Ｒの他端側２ｂに各々設けられている。左側本体部２Ｌに設けられている押圧部１３は、他端側２ｂから見て、左側本体部２Ｌよりも側方である右方に突出する図２に示す突出位置と、中空部１０と重なる図７に示す重なり位置と、の間で移動可能であると共に、左側本体部２Ｌが鼻腔に挿入された際に突出位置において鼻中隔下制筋を押圧する。また、右側本体部２Ｒに設けられている押圧部１３は、他端側２ｂから見て、右側本体部２Ｒよりも側方である左方に突出する図２に示す突出位置と、中空部１０と重なる図７に示す重なり位置と、の間で移動可能であると共に、右側本体部２Ｒが鼻腔に挿入された際に突出位置において鼻中隔下制筋を押圧する。
【００２０】
押圧部１３は、中間部１３１と、突出部１３２と、ヒンジ部１３３と、を備えている。
【００２１】
中間部１３１は、一対のヒンジ部１３３の間に設けられている。
【００２２】
突出部１３２は、中間部１３１よりも厚みが厚い肉厚になっていると共に前後方向の幅が幅広になっており、押圧部１３が突出位置に移動した際に鼻中隔下制筋を押圧する位置に設けられている。
【００２３】
ヒンジ部１３３は、中間部１３１及び突出部１３２よりも厚みが薄い肉薄になっていると共に、前後方向の幅が中間部１３１の前後方向の幅と同一になっている。ヒンジ部１３３は、中間部１３１と突出部１３２との間、及び中間部１３１と左側本体部２Ｌ又は右側本体部２Ｒとの間に設けられている。
【００２４】
ここで、押圧部１３は、突出位置において他端側２ｂから見て、突出部１３２の一部が左側本体部２Ｌ又は右側本体部２Ｒよりも側方に突出する場合に限らず、突出部１３２の全体が左側本体部２Ｌ又は右側本体部２Ｒよりも側方に突出するようにしてもよい。また、押圧部１３は、重なり位置において他端側２ｂから見て、突出部１３２の全体が中空部１０と重なる場合に限らず、突出部１３２の一部が中空部１０と重なるようにしてもよい。
【００２５】
ガイド片１４は、板状であると共に一対設けられている。ガイド片１４は、一端側２ａの中空部１０の周囲の内壁部１０１に設けられると共に開口部１１から外部に突出して互いに離れる方向に延設されている。一対のガイド片１４は、図６に示すように、中空部１０の中心軸Ｐに対して所定角度θの傾きを有している。ここで、所定角度θは、３０度であることが好ましい。
【００２６】
内部凹部１５は、図５に示すように、中空部１０の周囲の内壁１０１をすり鉢状に窪ませで形成されており、複数設けられている。
【００２７】
外部凹部１６は、図５に示すように、左側本体部２Ｌの外壁１０２及び右側本体部２Ｒの外壁１０２をすり鉢状に窪ませて形成されており、内部凹部１５と互いに背中合わせとなる位置に設けられている。
【００２８】
連通孔１７は、図６に示すように、一端が内部凹部１５の内底面に開口すると共に他端が外部凹部１６の内底面に開口しており、中空部１０を外部に連通している。
【００２９】
連結部４は、左側本体部２Ｌに設けられている押圧部１３と、右側本体部２Ｒに設けられている押圧部１３と、を接続している。連結部４は、当接部４２と対向する方向に突出していると共に突出方向の先端面が尖っている規制部４１と、規制部４１と対向する方向に突出していると共に突出方向の先端面が平坦になっている当接部４２と、を備えている。
【００３０】
上記の構成を有する鼻腔挿入具１は、使用するユーザに応じて、左側本体部２Ｌ及び右側本体部２Ｒの全体的な大きさを変更する。具体的には、子供向け及び女性向けの鼻腔挿入具１は、成人男性向けの鼻腔挿入具１よりも左側本体部２Ｌ及び右側本体部２Ｒの全体的な大きさを小さくする。
【００３１】
＜鼻腔挿入具の動作＞
本発明の実施形態に係る鼻腔挿入具１の動作につき、図１から図７を参照しながら、以下に詳細に説明する。
【００３２】
まず、図１の状態の鼻腔挿入具１において、ヒンジ部１３３を屈曲させて押圧部１３を図７に示す重なり位置に位置させた状態で、左側本体部２Ｌを一端側２ａから左側の鼻腔に挿入すると共に、右側本体部２Ｒを一端側２ａから右側の鼻腔に挿入する。この際に、押圧部１３を重なり位置に位置させておくことにより、鼻腔に対して鼻腔挿入具１を容易に挿入することができる。
【００３３】
左側本体部２Ｌ及び右側本体部２Ｒを鼻腔に挿入した後に、連結部４を前方に引っ張ることにより、屈曲しているヒンジ部１３３が伸張して、押圧部１３を重なり位置から突出位置に移動させる。この際に、押圧部１３の重なり位置から突出位置への移動は、押圧部１３にヒンジ部１３３を設けることにより一挙動で行うことができる。また、連結部４は、対向している規制部４１と当接部４２とが互いに当接して移動を規制されることにより、必要以上に操作されることを防ぐことができる。このように、連結部４を操作して押圧部１３を重なり位置から突出位置に移動させることができるので、押圧部１３を容易に移動させることができる。
【００３４】
押圧部１３が重なり位置から突出位置に移動することにより、押圧部１３、左側本体部２Ｌ及び右側本体部２Ｒが鼻腔の内壁を押圧すると共に、押圧部１３が鼻中隔下制筋を押圧する。従って、鼻腔挿入具１によって鼻腔をより拡張することができると共に、鼻腔挿入具１の鼻腔からの脱落を防ぐことができる。また、押圧部１３によって鼻中隔下制筋を押圧することにより、鼻腔の容積を下方に拡大することができるため、鼻腔を介してより多くの外気を取り込んだり、鼻腔を介してより多くの呼気を排出することができると共に、舌を口蓋まで上昇させることができるため、口呼吸を防止することができ、鼾の発生を抑制することができる。更に、押圧部１３による鼻腔の内壁を押圧する反動で、押圧部１３によって押圧する鼻腔の内壁の反対側の内壁を、左側本体部２Ｌ及び右側本体部２Ｒによって押圧することができるので、鼻腔全体を拡張することができると共に、鼻腔挿入具１の鼻腔からの脱落を更に抑制することができる。
【００３５】
左側本体部２Ｌ及び右側本体部２Ｒは、側方に凸となる湾曲形状を有する壁部２３と、互いに直交する方向に延設されている壁部２１及び壁部２２と、を備えることにより、鼻腔の形状に合致した形状にすることができるため、鼻腔の内壁の全体を広げることができると共に鼻腔からの脱落を極力防ぐことができる。
【００３６】
中空部を他端側２ｂの端部２ｂｂから一端側２ａの端部２ａａに向けて窄まった形状にすることにより、鼻腔挿入具１を鼻腔に挿入した状態で鼻腔を介して呼吸をする際に、開口部１２から中空部１０に取り込んだ外気を、中空部１０の他端側２ｂの端部２ｂｂから一端側２ａの端部２ａａに向けて流速を速くして開口部１１から鼻腔に排出することができ、鼻腔を介して十分な量の空気を気道に送り込むことができる。
【００３７】
また、中空部１０を流れる空気を内部凹部１５により渦状にして乱流とすることにより、中空部１０を流れる空気の流速を速くすることができる。
【００３８】
また、内部凹部１５における空気の流れにより、外部凹部１６及び連通孔１７の空気が内部凹部１５に吸い出されて外部凹部１６及び連通孔１７が内部凹部１５よりも陰圧となることにより、鼻の粘膜から分泌される体液が外部凹部１６及び連通孔１７に蒸発し易くなる。外部凹部１６及び連通孔１７に蒸発した体液は、外部凹部１６及び連通孔１７から内部凹部１５に吸引されて中空部１０に達すると共に、更に中空部１０における空気の流れに乗って鼻腔の奥部又は咽頭部粘膜組織に達する。これにより、鼻腔の奥部又は咽頭部粘膜組織を湿潤に保つことができると共に、鼻腔の奥部又は咽頭部粘膜組織の機能を保護することができる。
【００３９】
更に、開口部１１から鼻腔に排出される空気の流速をガイド片１４によって速くすることができると共に、開口部１１から鼻腔に排出される空気をガイド片１４にガイドさせて中鼻道に向かって送り出すことができ、喉頭に流れる空気の速度を減速させないようにすることができる。ここで、一対のガイド片１４を中空部１０の中心軸Ｐに対して各々３０度の傾きを有して延設されるように形成することにより、開口部１１から鼻腔に排出される空気の流速を速くできることが実験により確認されている。
【００４０】
このように、鼻腔挿入具１を介して鼻腔に取り込む空気の流速を速くすることにより、肺に達する空気の流速を速くして肺胞をより広げることができる。また、肺胞をより広げることにより、その反動で肺胞を効率よく萎めることができるために呼気の流速を速くすることができ、気管支における呼気又は吸気の停滞に伴う呼気と吸気との混濁率を小さくすることができると共に、呼吸量を増加させることができるため、血中酸素飽和度ＳｐＯ２を上昇させることができる。
【００４１】
更に、押圧部１３により鼻腔の内壁を外方に押圧することにより、鼻腔の周囲の筋群のストレッチ効果を得ることができる。
【００４２】
鼻腔挿入具１を鼻腔から取り外す際には、規制部４１と当接部４２とが離れる方向に連結部４を操作することにより、押圧部１３を突出位置から重なり位置に移動させて、押圧部１３による鼻腔の内壁への押圧を解除する。この際に、押圧部１３の突出位置から重なり位置への移動は、押圧部１３にヒンジ部１３３を設けることにより一挙動で行うことができる。これにより、鼻腔挿入具１を鼻腔から容易に取り外すことができる。また、連結部４を操作して押圧部１３を突出位置から重なり位置に移動させることができるので、押圧部１３を容易に移動させることができる。
【００４３】
このように、本実施形態によれば、一端側２ａの端部２ａａから他端側２ｂの端部２ｂｂまで延設される中空部１０を内部に有すると共に鼻腔に挿入される右側本体部２Ｒ及び左側本体部２Ｌの他端側２ｂに設けられ、他端側２ｂから見て右側本体部２Ｒ又は左側本体部２Ｌよりも側方に突出する突出位置と中空部１０と重なる重なり位置との間で移動可能な押圧部１３を設けることにより、鼻腔に挿入し易くすることができ、鼻腔に挿入した際には鼻腔を介して十分な量の空気を気道に送り込むことができると共に、鼻腔から脱落することを極力防ぐことができる。
【００４４】
また、本実施形態によれば、左側本体部２Ｌと右側本体部２Ｒとを連結部４で連結することにより、左側本体部２Ｌ及び右側本体部２Ｒの何れか一方の紛失又は携行忘れを防ぐことができる。
【００４５】
本発明は、部材の種類、配置、個数等は前述の実施形態に限定されるものではなく、その構成要素を同等の作用効果を奏するものに適宜置換する等、発明の要旨を逸脱しない範囲で適宜変更可能であることはもちろんである。
【００４６】
具体的には、上記実施形態において、左側本体部２Ｌと右側本体部２Ｒとを連結部４により接続したが、左側本体部と右側本体部とを連結部を用いずに分離してもよい。
【００４７】
また、上記実施形態において、押圧部１３によって鼻中隔下制筋を押圧したが、押圧部１３によって鼻腔の鼻中隔下制筋以外の内壁を押圧するようにしてもよい。
【００４８】
また、上記実施形態において、押圧部１３におけるヒンジ部１３３の数を押圧部１３と連結部４との接続部を挟んで各々２つ設けたが、押圧部１３におけるヒンジ部１３３の数を押圧部１３と連結部４との接続部を挟んで各々１つ又は３つ以上の任意の数だけ設けることができる。
【産業上の利用可能性】
【００４９】
本発明は、鼻腔を介して呼吸する際に使用される鼻腔挿入具に好適である。
【符号の説明】
【００５０】
１  鼻腔挿入具
２ａ  一端側
２ａａ  端部
２ｂ  他端側
２ｂｂ  端部
２Ｌ  左側本体部
２Ｒ  右側本体部
４  連結部
１０  中空部
１１  開口部
１２  開口部
１３  押圧部
１４  ガイド片
１５  内部凹部
１６  外部凹部
１７  連通孔
２１  壁部
２２  壁部
２３  壁部
４１  規制部
４２  当接部
１３１  中間部
１３２  突出部
１３３  ヒンジ部
【図１】
2020081612.tif 000003
【図２】
2020081612.tif 000004
【図３】
2020081612.tif 000005
【図４】
2020081612.tif 000006
【図５】
2020081612.tif 000007
【図６】
2020081612.tif 000008
【図７】
2020081612.tif 000009